(57)【要約】【課題】オーバーヘッドシャワー浴中に入浴者が上方を向いた際に感じる照明の眩しさを抑制することができる浴室ユニットを提供する。【解決手段】浴室ユニット１００は、入浴者が湯水を浴びて身体を洗うための洗い場床９１と、入浴者の頭部に上方または斜め上方から湯水をかけるシャワー装置８と、洗い場床９１に接しており、シャワー装置８が取り付けられた壁パネル９２と、壁パネル９２の上部に連結している天井パネル９５とを備える。シャワー装置８は、壁パネル９２の横方向における中央部から一端部までの間に設けられている。浴室ユニット１００は、壁パネル９２の横方向における他端部上方の天井パネル９５の隅部に透光カバーが配設された照明１を有する。【選択図】図１
2018053627.tif 000002
【特許請求の範囲】
【請求項１】
入浴者が湯水を浴びて身体を洗うための洗い場床と、入浴者の頭部に上方または斜め上方から湯水をかけるシャワー装置と、前記洗い場床に接しており、前記シャワー装置が取り付けられた壁パネルと、前記壁パネルの上部に連結している天井パネルとを備える浴室ユニットにおいて、
前記シャワー装置は、前記壁パネルの横方向における中央部から一端部までの間に設けられており、
前記壁パネルの横方向における他端部上方の前記天井パネルの隅部に透光カバーが配設された照明を有することを特徴とする浴室ユニット。
【請求項２】
前記透光カバーは、前記天井パネルに平行な平坦状であることを特徴とする請求項１に記載の浴室ユニット。
【請求項３】
前記透光カバーは、三角形状であり、二つの側辺部が前記壁パネルおよび前記壁パネルに隣接する他の壁パネルに平行に配設されており、他の一側辺部が浴室内部を臨むことを特徴とする請求項２に記載の浴室ユニット。
【請求項４】
前記シャワー装置は、上下方向に延びるスライドバー、前記スライドバーに摺動可能に保持されたフック、および前記フックに掛け止められるシャワーヘッドを有することを特徴とする請求項１から３のいずれか１項に記載の浴室ユニット。
【発明の詳細な説明】
【技術分野】
【０００１】
本発明は、浴室ユニットに関する。
【背景技術】
【０００２】
浴室ユニットは、湯を溜める浴槽と、浴槽の手前側に設けた洗い場床を有する。浴室ユニットは、周囲を壁パネル、上方を天井パネルで覆われている。浴室ユニット内の空間には、浴槽のほか、シャワー装置、カウンターおよび鏡等の備品や照明が設けられており、ユーザがより快適に浴室ユニットを利用するための工夫がなされている。
【０００３】
例えば、特許文献１には、直角に隣接した２つの壁パネルのコーナー部分に照明を設けた浴室ユニットが開示されている。照明は、コーナー部分に設置される照明用台座、円弧状の側面を持つ透光カバー、および壁パネルと照明カバーとの間に設けられる隙間埋板を有する。透光カバーは、２つの壁パネルに設置された同形状の隙間埋板に取り付けられている。
【先行技術文献】
【特許文献】
【０００４】
【特許文献１】特開２００３−２６３９１９号公報
【発明の概要】
【発明が解決しようとする課題】
【０００５】
特許文献１に記載の浴室ユニットでは、照明が浴室内へ張り出しているため、浴室ユニット内の空間が狭くなるという問題点があった。また、照明の透光カバーは、円弧状の側面に加えて上面および下面を有しているため、清掃が煩雑になるという問題点もあった。ここで、浴室ユニット内の空間を広くし、透光カバーの清掃の作業性を改善するために、天井パネルに照明を埋め込むことが考えられる。
【０００６】
ところで、立った姿勢の入浴者の頭部に上方または斜め上方から湯水をかけるオーバーヘッドシャワー浴が行えるシャワー装置は、シャワーヘッドが天井パネル付近の高い位置に設けられる。上述のように天井パネルに照明を埋め込んだ場合、照明の位置によっては、入浴者がオーバーヘッドシャワー浴中に上方に顔を向けると照明が眩しく感じられ、快適性が損なわれてしまうという問題点があった。
【０００７】
本発明は、斯かる事情に鑑みてなされたものであり、その目的とするところは、オーバーヘッドシャワー浴中に入浴者が上方を向いた際に感じる照明の眩しさを抑制することができる浴室ユニットを提供することにある。
【課題を解決するための手段】
【０００８】
本発明に係る浴室ユニットは、入浴者が湯水を浴びて身体を洗うための洗い場床と、入浴者の頭部に上方または斜め上方から湯水をかけるシャワー装置と、前記洗い場床に接しており、前記シャワー装置が取り付けられた壁パネルと、前記壁パネルの上部に連結している天井パネルとを備える浴室ユニットにおいて、前記シャワー装置は、前記壁パネルの横方向における中央部から一端部までの間に設けられており、前記壁パネルの横方向における他端部上方の前記天井パネルの隅部に透光カバーが配設された照明を有することを特徴とする。
【０００９】
本発明にあっては、浴室ユニットは、入浴者が湯水を浴びて身体を洗うための洗い場床が設けられており、シャワー装置により、入浴者の頭部に上方または斜め上方から湯水をかける。浴室ユニットは、洗い場床に接する壁パネルにシャワー装置が取り付けられており、壁パネルの上部に天井パネルが連結している。シャワー装置は、壁パネルの横方向における中央部から一端部までの間に設けられている。照明の透光カバーが壁パネルの横方向における他端部上方の天井パネルの隅部に配設されているので、浴室ユニットは、オーバーヘッドシャワー浴中に入浴者が上方を向いた際に感じる照明の眩しさを抑制することができる。
【発明の効果】
【００１０】
本発明によれば、浴室ユニットは、洗い場床が入浴者が湯水を浴びて身体を洗うために設けられており、シャワー装置により、入浴者の頭部に上方または斜め上方から湯水をかける。浴室ユニットは、洗い場床に接する壁パネルにシャワー装置が取り付けられており、壁パネルの上部に天井パネルが連結している。シャワー装置は、壁パネルの横方向における中央部から一端部までの間に設けられている。照明の透光カバーは、壁パネルの横方向における他端部上方の天井パネルの隅部に配設されている。このため、浴室ユニットは、オーバーヘッドシャワー浴中に入浴者が上方を向いた際に感じる照明の眩しさを抑制することができる。
【図面の簡単な説明】
【００１１】
【図１】実施形態に係る浴室ユニットの外観を示す斜視図である。
【図２】壁パネル部分における浴室ユニット内部の正面図である。
【図３】壁パネル部分における浴室ユニットの側面図である。
【図４】図３に示すＸ−Ｘ線による断面図である。
【図５】透光カバーを取り外した照明の下方から見た斜視図である。
【図６】浴室ユニット内から天井パネルを見上げた斜視図である。
【図７】変形例に係る壁パネル部分における浴室ユニット内部の正面図である。
【図８】壁パネル部分における浴室ユニットの側面図である。
【図９】図８に示すＹ−Ｙ線による断面図である。
【図１０】浴室ユニット内から天井パネルを見上げた斜視図である。
【図１１】別の変形例に係る壁パネル部分における浴室ユニット内部の正面図である。
【図１２】壁パネル部分における浴室ユニットの側面図である。
【図１３】図１２に示すＺ−Ｚ線による断面図である。
【図１４】浴室ユニット内から天井パネルを見上げた斜視図である。
【発明を実施するための形態】
【００１２】
以下、本発明を好適な実施の形態をもとに図１から図１４を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１３】
（実施形態）
図１は実施形態に係る浴室ユニット１００の外観を示す斜視図である。浴室ユニット１００は、湯を溜める浴槽９０、該浴槽９０前側に設けた洗い場床９１、壁パネル９２、シャワー装置８、および照明１を有する。浴槽９０および洗い場床９１は、四方を壁パネルによって囲まれている。洗い場床９１に接する壁パネル９２には、カウンター９３および鏡９４などのユーザが身体を洗い流す際に利用する備品類が取り付けられている。天井パネル９５は、壁パネル９２および他の壁パネルの上部に連結し、浴室ユニット１００の上方を覆うように設けられている。尚、壁パネル９２は、洗い場床９１の一側辺から天井パネル９５における対応する側辺までの壁面を形成するものであれば、１枚のパネル部材であっても、２枚以上の複数のパネル部材を組み合わせて該壁面を形成するように構成されているものであってもよい。
【００１４】
シャワー装置８は、湯水供給部８０、シャワーヘッド８１およびスライドバー装置８２を有する。湯水供給部８０は、水量調節つまみや温度調節つまみ等を有し、シャワーヘッド８１に供給する湯水の温度および水量を調節可能としている。シャワーヘッド８１は、ホース８３によって湯水供給部８０に接続されており、湯水供給部８０から湯水が供給される。シャワーヘッド８１には多数の小孔からなる吐水口が設けられており、ユーザの身体を洗い流す湯水を該吐水口から吐出する。
【００１５】
シャワーヘッド８１は、スライドバー装置８２によって上下方向に摺動可能に保持されており、ユーザの嗜好に応じて高さを調節できるようになっている。シャワー装置８は、壁パネル９２の横方向における中央部から浴室ユニット１００内側の一端部までの間に設けられている。
【００１６】
照明１は、壁パネル９２の上部における天井パネル９５の隅部に配設されている。照明１は、壁パネル９２におけるシャワー装置８が設けられた側と横方向に反対側の他端部の上方における天井パネル９５に配設されている。天井パネル９５は、照明１を埋設するために切り欠いた開口部７０を隅部に有する。開口部７０は、可能な限り隅部に寄せて設けることで、シャワー装置８から照明１を離間させることができる。天井パネル９５は、隅部の強度を保つために、開口部７０の縁部を残す必要があり、天井パネル９５の厚みおよび重量にもよるが、例えば数ｃｍから十数ｃｍ程度の縁部が設けられる。
【００１７】
図２は壁パネル９２部分における浴室ユニット１００内部の正面図、図３は壁パネル９２部分における浴室ユニット１００の側面図、図４は図３に示すＸ−Ｘ線による断面図である。スライドバー装置８２は、スライドバー８２ａおよびフック８２ｂを有し、フック８２ｂを上下方向に摺動可能に保持する。
【００１８】
スライドバー８２ａは、上下方向に延びる細長い棒状であり、軸線が壁パネル９２側で凸状となるように湾曲している。スライドバー８２ａは、上部に向かうにつれて、壁パネル９２から離れるように設けられている。スライドバー８２ａは、壁パネル９２の上下方向における中央部やや洗い場床９１寄りの位置から天井パネル９５付近まで延びる。
【００１９】
スライドバー８２ａの下端部および上端部は、ブラケット８２ｃにより壁パネル９２に固定されている。尚、スライドバー８２ａは、直線状の軸線を有し、上部に向かうにつれて、壁パネル９２から離れるように設けてもよい。
【００２０】
フック８２ｂは、スライドバー８２ａに嵌合する基端部、シャワーヘッド８１を掛け止める先端部を有する。フック８２ｂの基端部は、上下に貫通する嵌合孔を有しており、該嵌合孔にスライドバー８２ａが挿通されて嵌め合わされている。フック８２ｂは、基端部の内部に設けたロック機構によってスライドバー８２ａに保持されており、ロックの解除により摺動可能となる。フック８２ｂの先端部は、上下方向から見てＣ字状に先端側が切り欠かれた形状となっており、シャワーヘッド８１が掛け止められる。
【００２１】
スライドバー８２ａは、上述のように上端側が下端側に比べて壁パネル９２から離れた位置となるように取り付けられている。このため、フック８２ｂは、スライドバー８２ａの下端側に位置する場合に比べ、上端側に位置する場合に、シャワー装置８の前に向き合うユーザにより近づくことになる。
【００２２】
照明１は、照明本体１１および透光カバー１２を有する。照明本体１１は、天井パネル９５に設けられた開口部７０に、浴室ユニット１００の内側から挿入するようにして取り付けられている。本実施形態においては、照明本体１１を三角錐台状としているため、開口部７０は三角形状に切り欠かれている。照明本体１１の形状は三角錐台状に限らず、扇形状、円形状または任意の多角形状の底面部分を有する錐台または柱状であってもよく、開口部７０は照明本体１１の底面部分の形状に合わせて天井パネル９５を切り欠いて形成される。
【００２３】
透光カバー１２は、白色等に着色された薄肉の樹脂製であり、照明本体１１の下面側を覆う。透光カバー１２は、平坦な三角形状に形成されており、天井パネル９５に平行に取り付けられている。透光カバー１２は、三角形状の二つの側辺部１２ａおよび１２ｂが壁パネル９２および壁パネル９２に隣接する他の壁パネルに平行に、他の一の側辺部１２ｃが浴室内を臨むように配設されている。尚、透光カバー１２の形状は、照明本体１１の形状に合わせて、扇状、円形状または任意の多角形状としてもよく、また平坦であることには多少の丸みを帯びた形状も含まれる。
【００２４】
透光カバー１２は、壁パネル９２の上部における天井パネル９５の隅部の下面側に配設されている。透光カバー１２は、壁パネル９２におけるシャワー装置８が設けられた側と横方向に反対側の他端部の上方における天井パネル９５に配設されている。透光カバー１２は、浴室内を臨むように設けられている。尚、透光カバー１２は、天井パネル９５の下面から突起していてもよいし、該下面と面一または窪んでいるように形成されていてもよい。
【００２５】
図５は、透光カバー１２を取り外した照明１の下方から見た斜視図である。照明１は、照明本体１１の下面側が三角形状に開口しており、内部にＬＥＤ電球等の光源１３を有する。光源１３は、反射面を構成する三角錐台状の内側面１４によって囲繞されている。光源１３から発せられた光は、内側面１４によって反射され、下方に向けて出射される。
【００２６】
次に、浴室ユニット１００の動作について説明する。図６は、浴室ユニット１００内から天井パネル９５を見上げた斜視図である。シャワー装置８は、フック８２ｂをスライドバー８２ａの上端部に位置させることで、シャワーヘッド８１を入浴者の頭部の上方または斜め上方に高く位置させることができる。シャワーヘッド８１を高く位置させた状態で、入浴者は、立った姿勢で頭の上から湯水を浴びるオーバーヘッドシャワー浴を行うことができる。
【００２７】
入浴者がオーバーヘッドシャワー浴中に顔に湯水をかけるために上方を向いたとき、視線の方向は概ねシャワーヘッド８１の方向に向けられる。このとき、入浴者は、湯水が降りかかっているため、目を閉じている可能性が高く、瞼を通して光を感じる。図６に太線で示す領域Ａは、瞼を通して主に光を感じる天井パネル９５の領域の例を示している。領域Ａには個人差により広狭があるものと考えられるが、明るく光る照明１の透光カバー１２は、領域Ａの外部か端部にかかる程度の位置にあり、入浴者の目から遠い位置にあるため、照明１の眩しさを抑制することができる。
【００２８】
また、入浴者がオーバーヘッドシャワー浴中に顔に湯水をかけるために上方を向いた状態で、瞬間的に目を開けることも考えられる。このとき、視線方向に透光カバー１２があると、入浴者は瞬間的に眩しくなって不快感を受ける。上述のように透光カバー１２は、領域Ａの外部か端部にかかる程度の位置にあり、入浴者の目から遠い位置にあるため、入浴者が瞬間的に目を開けた場合でも照明１の眩しさを抑制することができる。
【００２９】
また、透光カバー１２は、平坦状であるため、壁パネル９２を広く利用することができ、さらには清掃作業が容易となる。また、透光カバー１２は、三角形状であるため、側辺部１２ｃが壁パネル９２から隣接する壁パネル側に向かう直線状に形成されている。このため、隣接する壁パネル側に向かうほど、透光カバー１２の側辺部１２ｃは入浴者の視野から外れていくので、より眩しさが抑制される。
【００３０】
例えば、透光カバー１２が四角形状であり、浴室内部を臨む側に二つの直交する側辺部を有して角部が形成されていると、該角部が暗くなる明暗が現れてしまい、入浴者は、透光カバー１２に対する違和感を抱き、不快な印象を受けてしまう可能性がある。本実施形態に係る透光カバー１２は、三角形状であり、浴室内部を臨む側辺部１２ｃが直線状であるため、側辺部１２ｃがほぼ一様に明るい。このため、入浴者が天井部分を含めて浴室内部を眺めたときに、透光カバー１２に対する違和感が少なく、不快な印象を受け難い。
【００３１】
次に、実施形態の浴室ユニット１００の特徴を説明する。
本発明の実施形態の浴室ユニット１００は、入浴者が湯水を浴びて身体を洗うための洗い場床９１と、入浴者の頭部に上方または斜め上方から湯水をかけるシャワー装置８と、洗い場床９１に接しており、シャワー装置８が取り付けられた壁パネル９２と、壁パネル９２の上部に連結している天井パネル９５とを備える。シャワー装置８は、壁パネル９２の横方向における中央部から一端部までの間に設けられている。浴室ユニット１００は、壁パネル９２の横方向における他端部上方の天井パネル９５の隅部に透光カバー１２が配設された照明１を有する。これにより、浴室ユニット１００は、オーバーヘッドシャワー浴中に入浴者が上方を向いた際に感じる照明１の眩しさを抑制することができる。
【００３２】
また浴室ユニット１００は、透光カバー１２が天井パネル９５に平行な平坦状であるので、壁パネル９２を広く利用することができ、さらには清掃作業が容易となる。
【００３３】
また浴室ユニット１００は、透光カバー１２が三角形状であり、二つの側辺部１２ａおよび１２ｂが壁パネル９２および隣接する他の壁パネルに平行に配設されており、透光カバー１２の他の一の側辺部１２ｃが浴室内部を臨む。これにより、隣接する壁パネル側に向かうほど、透光カバー１２の側辺部１２ｃは入浴者の視野から外れていくので、より眩しさが抑制される。さらに、浴室内部を臨む側辺部１２ｃが直線状であるため、側辺部１２ｃがほぼ一様に明るいので、入浴者が天井部分を含めて浴室内部を眺めたときに、透光カバー１２に対する違和感が少なく、不快な印象を受け難い。
【００３４】
また浴室ユニット１００は、シャワー装置８が上下方向に延びるスライドバー８２ａ、スライドバー８２ａに摺動可能に保持されたフック８２ｂ、およびフック８２ｂに掛け止められるシャワーヘッド８１を有する。入浴者が、オーバーヘッドシャワー浴を行うために、シャワーヘッド８１を高く位置させ、シャワー装置８に近づいたときでも、照明１が入浴者の目から遠い位置にあるため、照明１の眩しさが抑制される。
【００３５】
（変形例）
図７は変形例に係る壁パネル９２部分における浴室ユニット１００内部の正面図であり、図８は壁パネル９２部分における浴室ユニット１００の側面図、図９は図８に示すＹ−Ｙ線による断面図である。変形例に係る浴室ユニット１００のシャワー装置８は、上シャワーヘッド８１ａと、下シャワーヘッド８１ｂを有する。
【００３６】
シャワー装置８は、上下方向に細長く伸びる直方体状の装置本体８４の内部に、湯水供給部、並びに上シャワーヘッド８１ａおよび下シャワーヘッド８１ｂへの配管が設けられている。装置本体８４は、壁パネル９２に取り付けられており、前面に水量調節つまみや温度調節つまみ等を有し、上シャワーヘッド８１ａおよび下シャワーヘッド８１ｂに供給する湯水の温度および水量を調節可能としている。
【００３７】
上シャワーヘッド８１ａは、装置本体８４の上部に固定されており、オーバーヘッドシャワー浴に用いることができる。下シャワーヘッド８１ｂは、装置本体８４の上下方向の中途部やや下寄りに設けられたフックに掛け止められている。
【００３８】
シャワー装置８は、壁パネル９２の横方向における中央部から浴室ユニット１００内側の一端部までの間に設けられている。照明１は、上述の実施形態と同様に構成されており、簡潔化のため説明を省略する。
【００３９】
図１０は、浴室ユニット１００内から天井パネル９５を見上げた斜視図である。入浴者は、上シャワーヘッド８１ａを用いて、立った姿勢で頭の上から湯水を浴びるオーバーヘッドシャワー浴を行うことができる。
【００４０】
入浴者がオーバーヘッドシャワー浴中に顔に湯水をかけるために上方を向いたとき、視線の方向は概ね上シャワーヘッド８１ａの方向に向けられる。図１０に太線で示す領域Ｂは、瞼を通して主に光を感じる天井パネル９５の領域の例を示している。明るく光る照明１の透光カバー１２は、領域Ｂの外部か端部にかかる程度の位置にあり、入浴者の目から遠い位置にあるため、照明１の眩しさを抑制することができる。
【００４１】
また、透光カバー１２は、領域Ｂの外部か端部にかかる程度の位置にあり、入浴者の目から遠い位置にあるため、入浴者が瞬間的に目を開けた場合でも照明１の眩しさを抑制することができる。
【００４２】
図１１は別の変形例に係る壁パネル９２部分における浴室ユニット１００内部の正面図であり、図１２は壁パネル９２部分における浴室ユニット１００の側面図、図１３は図１２に示すＺ−Ｚ線による断面図である。この変形例に係る浴室ユニット１００のシャワー装置８は、天井パネル９５に取り付けられたシャワー吐水部８５を有する。
【００４３】
シャワー装置８は、上下方向に細長く伸びる直方体状の装置本体８４の内部に、湯水供給部、並びにシャワー吐水部８５への配管が設けられている。装置本体８４は、壁パネル９２に取り付けられており、前面に水量調節つまみや温度調節つまみ等を有し、シャワー吐水部８５に供給する湯水の温度および水量を調節可能としている。
【００４４】
シャワー吐水部８５は、細長い短冊状をなし、天井パネル９５の壁パネル９２側の端部から壁パネル９２に垂直に浴室内側に延びる。シャワー吐水部８５は、中途部から先端部にかけて、多数の小孔からなる吐水口を有しており、該吐水口から湯水を吐水することで、オーバーヘッドシャワー浴に用いることができる。
【００４５】
シャワー装置８は、壁パネル９２の横方向における中央部から浴室ユニット１００内側の一端部までの間に設けられている。照明１は、上述の実施形態と同様に構成されており、簡潔化のため説明を省略する。
【００４６】
図１４は、浴室ユニット１００内から天井パネル９５を見上げた斜視図である。入浴者は、シャワー吐水部８５を用いて、立った姿勢で頭の上から湯水を浴びるオーバーヘッドシャワー浴を行うことができる。
【００４７】
入浴者がオーバーヘッドシャワー浴中に顔に湯水をかけるために上方を向いたとき、視線の方向は概ねシャワー吐水部８５の方向に向けられる。図１４に太線で示す領域Ｃは、瞼を通して主に光を感じる天井パネル９５の領域の例を示している。明るく光る照明１の透光カバー１２は、領域Ｃの外部か端部にかかる程度の位置にあり、入浴者の目から遠い位置にあるため、照明１の眩しさを抑制することができる。
【００４８】
また、透光カバー１２は、領域Ｃの外部か端部にかかる程度の位置にあり、入浴者の目から遠い位置にあるため、入浴者が瞬間的に目を開けた場合でも照明１の眩しさを抑制することができる。
【００４９】
この変形例に係る浴室ユニット１００は、シャワー装置８が天井パネル９５に取り付けられたシャワー吐水部８５を有する。これにより、シャワー吐水部８５から入浴者の頭部のほぼ真上から湯水をかけるオーバーヘッドシャワー浴を行うことができ、浴室ユニット１００の利便性が向上する。
【００５０】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００５１】
１  照明、  １２  透光カバー、  ８  シャワー装置、  ８１  シャワーヘッド、
８２ａ  スライドバー、  ８２ｂ  フック、
９１  洗い場床、  ９２  壁パネル、  ９５  天井パネル、
１００  浴室ユニット。
【図１】
2018053627.tif 000003
【図２】
2018053627.tif 000004
【図３】
2018053627.tif 000005
【図４】
2018053627.tif 000006
【図５】
2018053627.tif 000007
【図６】
2018053627.tif 000008
【図７】
2018053627.tif 000009
【図８】
2018053627.tif 000010
【図９】
2018053627.tif 000011
【図１０】
2018053627.tif 000012
【図１１】
2018053627.tif 000013
【図１２】
2018053627.tif 000014
【図１３】
2018053627.tif 000015
【図１４】
2018053627.tif 000016